(57)【要約】【課題】サイドレジ調整のできる小型の光走査装置を提供する。【解決手段】複数色の光ビームにサイドレジ調整機構を設け、調整機構の種類を複数種類とすることにより光走査装置の小型化が可能になる。光走査装置においては同種類の部品は近接配置になる為、サイドレジ調整機構を同種類の部品に各色ごとに設けると、複数のサイドレジ調整機構間の干渉を避ける為に光走査装置１０全体が大きくなる弊害があるが、これを避けることができる。ある色（図１ではＣ）のサイドレジずれ調整はＳＯＳセンサ７３を可動とし、他の色では光源７０（図１では７０Ｙと７０Ｋ）を可動とすることで複数の調整機構間の干渉を避けることができ光走査装置１０を小型化できる。【選択図】図１
2008112081.tif 000002
【特許請求の範囲】
【請求項１】
光ビームを射出する複数の光源と、
前記光ビームを偏向し、複数の感光体表面を走査露光する偏向器と、
前記光ビームの光路中の何れかの箇所に前記走査露光の走査範囲を調整する複数の調整手段と、を備えたことを特徴とする光走査装置。
【請求項２】
前記複数の調整手段のうち少なくとも一つは前記偏向器へ入射する前の光ビーム位置を調整することを特徴とする請求項１に記載の光走査装置。
【請求項３】
偏向後の前記光ビームの走査開始位置を検出する複数の検出手段が入射光軸に対して位置調整可能な一枚の基板上に一体的に設けられ、
前記調整手段で調整されない前記光源の位置を調整する前記調整手段を備えたことを特徴とする請求項２に記載の光走査装置。
【請求項４】
偏向後の前記光ビームの走査開始位置を検出する複数の検出手段が入射光軸に対して位置調整可能な一枚の基板上に一体的に設けられ、
反射角度を主走査方向に変更可能に支持された少なくとも一つの反射面をもつ前記調整手段が、前記偏向器に入射する前記調整手段で調整されない前記光ビームの入射角度を調整することを特徴とする請求項２に記載の光走査装置。
【請求項５】
前記調整手段は前記偏向器に入射する前記光ビームの位置を調整することで前記複数の感光体表面における走査開始位置を調整することを特徴とする請求項１に記載の光走査装置。
【請求項６】
前記調整手段は前記光源の位置を主走査方向に調整することを特徴とする請求項５に記載の光走査装置。
【請求項７】
主走査方向に回動可能に支持された少なくとも一つの反射面をもつ前記調整手段が、前記偏向器に入射する前記光ビームの入射角度を調整することを特徴とする請求項５に記載の光走査装置。
【請求項８】
前記複数種類の調整手段は前記偏向器で偏向した後の光ビーム位置を調整することを特徴とする請求項１に記載の光走査装置。
【発明の詳細な説明】
【技術分野】
【０００１】
本発明は光走査装置に関し、特に複数の感光体を複数の光ビームにて走査露光する光走査装置に関する。
【背景技術】
【０００２】
従来より、レーザ光による走査露光を行う光走査装置において、複数の感光体ドラム上に光走査装置から複数の感光体ドラムに各々対応した光ビームを走査させ潜像画像を形成する、いわゆるタンデム方式の光走査装置が知られている。
【０００３】
上記のような光走査装置に用いられる光走査装置では複数の光ビームを各色ごとの感光体ドラム上で結像させる構成が存在するが、この構成では各色画像の主走査方向位置が正確に一致せず主走査方向に色ずれが起こる、いわゆるサイドレジずれの発生がある。
【０００４】
従来、光走査装置においてはサイドレジの調整は基板上で電気的に書き出しタイミングの制御にて行っていた（例えば、特許文献１参照）が、４色などの多色画像では各色間のずれが大きく発生するため、これを補正する光走査装置側でのサイドレジの調整レンジが大きくなってしまう。
【０００５】
このため主走査方向の露光エリアを広くする必要があり、必然的に光学部品のサイズもまた大きくする必要あるので結果として光走査装置全体が大きくなる。これを避けるには各色ごとに光走査装置上でサイドレジ調整を行う必要がある。
【０００６】
光ビームによる走査開始を検知するＳＯＳセンサに光ビームを導くピックアップミラーを調整してサイドレジ調整を行う構成が提案されている（例えば、特許文献２参照）が、ＳＯＳセンサ用のピックアップミラーを各色ごとに配置すれば部品が密集し、装置内での実装が困難となる。
【０００７】
光ビームによる走査開始を検知するＳＯＳセンサを可動に支持し、位置調整可能としてサイドレジ調整を行う構成が提案されている（例えば、特許文献３参照）が、ＳＯＳセンサ用の基板を各色ごとに配置すれば部品が密集し、これも装置内での実装が困難となる。
【特許文献１】特開２００２−２１８８５７号公報
【特許文献２】特開平０８−０８２７３６号公報
【特許文献３】特開２０００−０１００３４号公報
【発明の開示】
【発明が解決しようとする課題】
【０００８】
本発明は上記事実を考慮し、サイドレジ調整のできる小型の光走査装置を提供することを目的とする。
【課題を解決するための手段】
【０００９】
請求項１に記載の光走査装置は、光ビームを射出する複数の光源と、前記光ビームを偏向し、複数の感光体表面を走査露光する偏向器と、前記光ビームの光路中の何れかの箇所に前記走査露光の走査範囲を調整する複数の調整手段と、を備えたことを特徴とする。
【００１０】
上記構成の発明では、光路中にサイドレジ調整手段を複数種類設けたことで分散配置することが可能となり、光走査装置の小型化が可能となる。
【００１１】
請求項２に記載の光走査装置は、前記複数の調整手段のうち少なくとも一つは前記偏向器へ入射する前の光ビーム位置を調整することを特徴とする。
【００１２】
上記構成の発明では、偏向前に調整手段の一つを設けたことで他の手段は偏向後など自由な箇所に設置することができる。
【００１３】
請求項３に記載の光走査装置は、偏向後の前記光ビームの走査開始位置を検出する複数の検出手段が入射光軸に対して位置調整可能な一枚の基板上に一体的に設けられ、前記調整手段で調整されない前記光源の位置を調整する前記調整手段を備えたことを特徴とする。
【００１４】
上記構成の発明では、ＳＯＳセンサを位置調整可能としてサイドレジ調整を行い、他のビームは他に調整手段を設けることで分散配置することが可能となり、光走査装置の小型化が可能となる。
【００１５】
請求項４に記載の光走査装置は、偏向後の前記光ビームの走査開始位置を検出する複数の検出手段が入射光軸に対して位置調整可能な一枚の基板上に一体的に設けられ、反射角度を主走査方向に変更可能に支持された少なくとも一つの反射面をもつ前記調整手段が、前記偏向器に入射する前記調整手段で調整されない前記光ビームの入射角度を調整することを特徴とする。
【００１６】
上記構成の発明では、ＳＯＳセンサを位置調整可能としてサイドレジ調整を行い、他のビームは他に調整手段を設けることで分散配置することが可能となり、光走査装置の小型化が可能となる。
【００１７】
請求項５に記載の光走査装置は、前記調整手段は前記偏向器に入射する前記光ビームの位置を調整することで前記複数の感光体表面における走査開始位置を調整することを特徴とする。
【００１８】
上記構成の発明では、偏向前にサイドレジ調整手段の一つを設けたことで他の手段は偏向後など自由な箇所に設置することができる。
【００１９】
請求項６に記載の光走査装置は、前記調整手段は前記光源の位置を主走査方向に調整することを特徴とする。
【００２０】
上記構成の発明では、光源位置をサイドレジ調整手段の一つとしたことで他の手段は偏向後など自由な箇所に設置することができる。
【００２１】
請求項７に記載の光走査装置は、主走査方向に回動可能に支持された少なくとも一つの反射面をもつ前記調整手段が、前記偏向器に入射する前記光ビームの入射角度を調整することを特徴とする。
【００２２】
上記構成の発明では、光路調整手段をサイドレジ調整手段の一つとしたことで他の手段は偏向後など自由な箇所に設置することができる。
【００２３】
請求項８に記載の光走査装置は、前記複数種類の調整手段は前記偏向器で偏向した後の光ビーム位置を調整することを特徴とする。
【００２４】
上記構成の発明では、サイドレジ調整手段の一つを偏向後としたことで他の手段は偏向前など自由な箇所に設置することができる。
【発明の効果】
【００２５】
本発明は上記構成としたのでサイドレジ調整のできる小型の光走査装置とすることができた。
【発明を実施するための最良の形態】
【００２６】
＜画像形成概要＞
図１には本発明の第１実施形態に係る光走査装置の構造が示されている。
【００２７】
図１に示すように、光走査装置１０はイエロー（Ｙ）、マゼンタ（Ｍ）、シアン（Ｃ）、ブラック（Ｋ）用の各感光体ドラム１１Ｙ〜１１Ｋに対して、イエロー（Ｙ）、マゼンタ（Ｍ）、シアン（Ｃ）、ブラック（Ｋ）の各色の画像信号に応じて変調された光ビームＬを照射する光源７０Ｙ〜７０Ｋ、光ビームＬを主走査方向（図中左右方向）に偏向する回転多面鏡６１、光ビームＬの主走査方向特性を補正するｆθレンズ６２などから主要部が構成されている。
【００２８】
感光体ドラム１１Ｙ、１１Ｍ、１１Ｃ、１１Ｋは、共通の接平面を有するように一定の間隔をおいて配置されている、所謂タンデム式のカラープリンタとなっている。表面電位を印加された感光体ドラム１１Ｙ〜１１Ｋの表面には、露光装置としての光走査装置１０によってイエロー（Ｙ）、マゼンタ（Ｍ）、シアン（Ｃ）、ブラック（Ｋ）の各色に対応した光ビームＬが照射され、各色毎の入力画像情報に応じた静電潜像が形成される。
【００２９】
図示しない現像ロールに現像バイアス電圧を印加して、現像ロール上の各色のトナーを感光体ドラム１１Ｙ〜１１Ｋ上に形成された静電潜像に転写することにより、イエロー（Ｙ）、マゼンタ（Ｍ）、シアン（Ｃ）、ブラック（Ｋ）の各色のトナー画像が感光体ドラム１１Ｙ〜１１Ｋ上に形成される。
【００３０】
上記各感光体ドラム１１Ｙ〜１１Ｋ上に形成されたイエロー（Ｙ）、マゼンタ（Ｍ）、シアン（Ｃ）、ブラック（Ｋ）の各色のトナー像は用紙などの被転写体上に位置合わせを行い、重ねてそれぞれ転写される。
【００３１】
これにより被転写体上には、Ｙ単色像上にシアン（Ｃ）、マゼンタ（Ｍ）、ブラック（Ｋ）色をそれぞれ重ねた４色画像として最終的なフルカラートナー像が形成される。中間転写体上にトナー画像が形成されている場合は、トナー画像は用紙上に再度転写される。
【００３２】
最終的にトナー画像が転写された用紙は搬送経路に沿って搬送され、定着器にて熱溶着されたトナー画像が用紙上に定着され、カラー画像として出力される。
【００３３】
＜光走査装置＞
図１に示すように、光走査装置１０はイエロー（Ｙ）、マゼンタ（Ｍ）、シアン（Ｃ）、ブラック（Ｋ）の各色の画像信号に応じて変調された光ビームＬを照射する、レーザダイオードなどからなる光源７０Ｙ〜７０Ｋを備えている。
【００３４】
光源７０Ｙ〜７０Ｋから発せられた光ビームＬはコリメータレンズ７１Ｙ〜７１Ｋにて平行光に整形され、回転多面鏡６１にて主走査方向に偏向される。主走査方向に偏向された光ビームＬはＳＯＳセンサ７３にて照射開始位置を検出され、感光体ドラム１１上における書き出しタイミングの調整が行われる。
【００３５】
このとき、本発明のように複数の光ビームＬを各色ごとの感光体ドラム１１上で結像させる構成となっている場合、各色ごとの主走査方向における位置ずれ（サイドレジずれ）の発生が不可避となる。
【００３６】
従来より、サイドレジずれの補正は４色一体のＳＯＳセンサ７３を用いるか、あるいは１基のＳＯＳセンサからの検出信号を基準とする構成が存在する。この場合サイドレジ補正は電気的に光源７０で変調される画像信号の出力タイミングを補正する方法で調整がなされている。
【００３７】
しかし上記の調整方法ではサイドレジずれが大きく発生することから、サイドレジ調整レンジを大きくとれるような構成が必要であり、そのため必然的に光学部品が主走査方向に長くなり、結果として光走査装置１０全体が大きくなってしまう課題があった。また、調整レンジが大きいため、調整時間が長くなる問題があった。
【００３８】
そこで本発明ではサイドレジずれをを極力小さくし、かつ光走査装置１０の小型化を達成するために、サイドレジずれ補正のために複数の調整手段を設けたことを特徴とする。
【００３９】
すなわち図１に示すように光源７０を図中矢印のように可動としてサイドレジずれ補正を行う一方で、光路補正部材９０Ａにて光ビームＬの光路補正を行い、また他のサイドレジ調整機構を異なった部品に各々分離して配置する（図１ではＳＯＳセンサ７３）ことにより、複数の調整機構間の干渉を避ける為に光走査装置１０全体が大きくなる弊害を避け、装置全体を小型化することが可能になる。
【００４０】
つまり、基準となる１色（ここではＭ）を設け、基準色以外にサイドレジ調整機構を設け、上記のように調整機構の種類を複数種類とすることにより光走査装置の小型化が可能になる。すなわち光走査装置においては同種類の部品は近接配置になる為、サイドレジ調整機構を同種類の部品に各色ごとに設けると、複数のサイドレジ調整機構間の干渉を避ける為に光走査装置１０全体が大きくなる弊害があるが、これを避けることができる。
【００４１】
たとえば本実施形態においては、サイドレジずれ調整の一方ではＳＯＳセンサ７３を可動とし、他方では光源７０（図１では７０Ｙと７０Ｋ）を可動とすることで複数の調整機構間の干渉を避けることができる構成としている。
【００４２】
また光源７０と回転多面鏡６１の間に図２に示すような光路補正部材９０Ａを設け、回転多面鏡６１に入射する光ビームＬの光路を補正する方法を上記のサイドレジずれ調整機構と併用し、更に光走査装置１０の小型化を図ることもできる。
【００４３】
＜光路補正部材＞
図２には本発明の第１実施形態に係る光走査装置の光路補正部材が示されている。
【００４４】
光路補正部材９０Ａは副走査方向（図中上下方向）に配列された反射鏡９２Ｙ〜９２Ｋを備え、それぞれ光源７０Ｙ〜７０Ｋから発せられた光ビームＬｙ〜Ｌｍをそれぞれ所定の角度に反射し、光ビームＬｙ〜Ｌｍの光路をそれぞれ主走査方向に調整する。
【００４５】
上記の構成であれば、サイドレジずれ調整機構の一方は回転多面鏡６１に光ビームＬが入射する前に調整を行い、他方は偏向後に調整を行う構成とすることができるので、回転多面鏡６１の光路上前後にサイドレジずれ調整機構を各々配置することで、サイドレジずれ調整機構同士の干渉回避が容易になり、光走査装置１０の小型化が可能となる。
【００４６】
図１ではＳＯＳセンサ７３を、図３に示すように光ビームＬの光軸に対して角度をもった平面上で可動とすることで上記サイドレジずれ補正と併用している。
【００４７】
＜可動ＳＯＳセンサ＞
図３には本発明の第１実施形態に係る光走査装置のＳＯＳセンサが示されている。
【００４８】
図３に示すように、本実施形態に係るＳＯＳセンサ７３は複数の受光部７４が一体の基板上に構成されており、前記基板は入射する光ビームＬの光軸に対して角度をもった平面上にて（光軸と直交する平面上が最も望ましい）調整可能であり、ある特定色のサイドレジをこのＳＯＳセンサ７３の移動にて調整する。
【００４９】
すなわち図３のようにＳＯＳセンサ７３は長穴７３Ｂをネジ７３Ｃにて光走査装置１０に固定する構成であり、ネジ７３Ｃの固定位置を変えることによって、図３の矢印のように受光部７４の主走査方向位置を調整することができる。
【００５０】
一方、その他の色のサイドレジ調整は光源７０（または光源７０を搭載したプリント基板）を可動とすることで調整する構成をとることにより、複数の調整機構同士の干渉回避が容易となり、光走査装置１０の小型化が可能となる。図３のようにＳＯＳセンサ７３を回転させると受光部７４の主／副走査方向位置が変化するが、これも後述するように光源７０の位置／角度を調整することで吸収することができる。
【００５１】
＜可動光源＞
図４には本発明の第１実施形態に係る光走査装置の光源が示されている。
【００５２】
図４に示すように本実施形態に係る光源７０は、複数の基板６９上にそれぞれ独立して設けられた光源７０Ｙ〜７０Ｋのうち、少なくとも一つ（図４では２つ）が主走査方向（図中左右）に可動できるように支持されている。
【００５３】
すなわち図４のように光源７０は長穴７２Ｂをネジ７２Ｃにて光走査装置１０に固定する構成であり、ネジ７２Ｃの固定位置を変えることによって、図４の矢印ｄのように光源７０の主走査方向位置を調整することができる。基板６９は射出する光ビームＬの光軸に対して角度をもった平面上にて（光軸と直交する平面上が最も望ましい）調整可能であり、ある特定色のサイドレジをこの光源７０の位置調整にて調整することができる。
【００５４】
これにより、上記複数の調整機構同士の干渉回避が容易となり、光走査装置１０の小型化が可能となる。
【００５５】
上記のような構成とすることにより、図１に示すようにＳＯＳセンサ７３を回転させてＹＭＣＫのサイドレジを調整する場合を考えると、例えば基準色をＭとしたときＭ色に対して他の色を調整するのであれば、先ずＣ色だけをＳＯＳセンサ７３の回転によってサイドレジ調整する。
【００５６】
次いで光源７０Ｙを可動させてＹ色のサイドレジを調整する。最後に光源７０Ｋを可動させてＫ色のサイドレジを調整することで４色のサイドレジ調整を複数箇所に分散させて配置した調整手段によって行うことができる。
【００５７】
＜ＳＯＳセンサ角度と光路補正部材を併用する方法＞
図５〜６には本発明の第２実施形態に係る光走査装置の構造が示されている。
【００５８】
図５に示すように、光走査装置１０Ｂはイエロー（Ｙ）、マゼンタ（Ｍ）、シアン（Ｃ）、ブラック（Ｋ）用の各感光体ドラム１１Ｙ〜１１Ｋに対して、イエロー（Ｙ）、マゼンタ（Ｍ）、シアン（Ｃ）、ブラック（Ｋ）の各色の画像信号に応じて変調された光ビームＬを照射する光源７０Ｙ〜７０Ｋ、光ビームＬを主走査方向（図中左右方向）に偏向する回転多面鏡６１、光ビームＬの主走査方向特性を補正するｆθレンズ６２などから主要部が構成されている点は第１実施形態と同様である。
【００５９】
本実施形態においては光路補正部材９０Ｂを用いて、回転多面鏡６１に入射する光ビームＬの反射角度を調整できる構成としている。
【００６０】
すなわち図６に示すように光路補正部材９０Ｂは反射鏡９２Ｙ〜９２Ｋを備え、光ビームＬの角度補正を行う一方、複数の反射鏡９２について主走査方向に角度変更可能となるように支持し、この反射鏡９２の角度を調整することでサイドレジずれ補正を行うことができる構成としている。
【００６１】
図６のように反射鏡９２Ｙ、９２Ｋはネジ９３Ｙ、９３Ｋにより図中Ｂ方向に角度変更が可能であり、ネジ９３を押し引きネジとすることで反射鏡９２Ｙ、９２Ｋを所望の角度で固定支持することができる。
【００６２】
上記のような構成とすることにより、図５に示すようにＳＯＳセンサ７３を回転させてＹＭＣＫのサイドレジを調整する場合を考えると、例えば基準色をＭとしたときＭ色に対して他の色を調整するのであれば、先ずＣ色だけをＳＯＳセンサ７３の回転によってサイドレジ調整する。
【００６３】
次いでネジ９３Ｙを調節して反射鏡９３Ｙを図中Ｂ方向に角度調整し、Ｙ色のサイドレジを調整する。最後に反射鏡９３Ｋを図中Ｂ方向に角度調整し、Ｋ色のサイドレジを調整することで４色のサイドレジ調整を複数箇所に分散させて配置した調整手段によって行うことができる。
【００６４】
＜光源位置と光路補正部材を併用する方法＞
図７には本発明の第２実施形態に係る光走査装置の構造が示されている。
【００６５】
図７に示すように、光走査装置１０Ｃはイエロー（Ｙ）、マゼンタ（Ｍ）、シアン（Ｃ）、ブラック（Ｋ）用の各感光体ドラム１１Ｙ〜１１Ｋに対して、イエロー（Ｙ）、マゼンタ（Ｍ）、シアン（Ｃ）、ブラック（Ｋ）の各色の画像信号に応じて変調された光ビームＬを照射する光源７０Ｙ〜７０Ｋ、光ビームＬを主走査方向（図中左右方向）に偏向する回転多面鏡６１、光ビームＬの主走査方向特性を補正するｆθレンズ６２などから主要部が構成されている点は第１、第２実施形態と同様である。
【００６６】
本実施形態においては光路補正部材９０Ａを用いて、回転多面鏡６１に入射する光ビームＬの反射角度を調整できる構成としている。また、光源７０Ｙ〜７０Ｋのうち７０Ｙ、７０Ｃ、７０Ｋを可動、ＳＯＳセンサ７３は固定された構成としている。
【００６７】
上記のような構成とすることにより、図７に示すようにＳＯＳセンサ７３を固定したままＹＭＣＫのサイドレジを調整する場合を考えると、例えば基準色をＭとしたときＭ色に対して他の色を調整するのであれば、先ずＣ色を光源７０Ｃの位置調整によってサイドレジ調整する。次いで光源７０Ｙを位置調節してＹ色のサイドレジを調整し、最後に光源７０Ｋを位置調整し、Ｋ色のサイドレジを調整することで４色のサイドレジ調整を複数の調整手段によって行うことができる。この場合、光路補正部材９０Ａを用いることで光源７０の位置を主走査方向について自由に配置可能となり、一箇所に調整手段を集中させることなく４色のサイドレジ調整を可能とすることができる。
【００６８】
＜光路補正部材による方法＞
図８には本発明の第３実施形態に係る光路補正部材が示されている。
【００６９】
図８に示すように、光路補正部材９０Ｃは反射鏡９２Ｙ〜９２Ｋを備え、光ビームＬの角度補正を行う一方、複数の反射鏡９２について主走査方向に角度変更可能となるように支持し、この反射鏡９２の角度を調整することでサイドレジずれ補正を行うことができる構成としている。
【００７０】
図８のように反射鏡９２Ｙ、９２Ｃ、９２Ｋはネジ９３Ｙ、９３Ｃ、９３Ｋにより図中Ｂ方向に角度変更が可能であり、ネジ９３を押し引きネジとすることで反射鏡９２Ｙ、９２Ｃ、９２Ｋを所望の角度で固定支持することができる。
【００７１】
上記のような構成とすることによりＹＭＣＫのサイドレジを調整する場合を考えると、例えば基準色をＭとしたときＭ色に対して他の色を調整するのであれば、先ずＣ色についてネジ９３Ｃを調節して反射鏡９３Ｃを図中Ｂ方向に角度調整し、Ｃ色のサイドレジを調整する。
【００７２】
次いでネジ９３Ｙを調節して反射鏡９３Ｙを図中Ｂ方向に角度調整し、Ｙ色のサイドレジを調整する。最後に反射鏡９３Ｋを図中Ｂ方向に角度調整し、Ｋ色のサイドレジを調整することで４色のサイドレジ調整を複数箇所に分散させて配置した調整手段によって行うことができる。
【００７３】
上記のような構成とすることにより、図７に示すような光走査装置であれば光源７０の位置が固定であっても、光路補正部材９０Ｃにてサイドレジ調整が可能となり、単体の固定ＳＯＳセンサ７３と固定の光源７０を用いながら各色のサイドレジ調整を行うことができる。
【００７４】
＜その他＞
以上、本発明の実施例について記述したが、本発明は上記の実施例に何ら限定されるものではなく、本発明の要旨を逸脱しない範囲において種々なる態様で実施し得ることは言うまでもない。
【００７５】
すなわち本実施形態では４色フルカラーレーザビームプリンタを例に挙げたが、これに限定せず例えば３色以下または５色以上のプリンタでもよいことは言うまでもない。
【００７６】
また偏向素子はポリゴンミラーを用いたが、レゾナントスキャナやガルバノミラーであっても差し支えはない。
【００７７】
さらに本実施形態では、１色を基準色として固定し他の色を調整する構成を例に挙げて説明したが、基準色を調整することのできる構成においても同様な効果が得られることは言うまでもない。
【図面の簡単な説明】
【００７８】
【図１】本発明の第１実施形態に係る光走査装置を示す斜視図である。
【図２】本発明の第１実施形態に係る光路補正部材を示す斜視図である。
【図３】本発明の第１実施形態に係るＳＯＳセンサを示す側面図である。
【図４】本発明の第１実施形態に係る光源を示す側面図である。
【図５】本発明の第２実施形態に係る光走査装置を示す斜視図である。
【図６】本発明の第２実施形態に係る光路補正部材を示す斜視図である。
【図７】本発明の第３実施形態に係る光走査装置を示す斜視図である。
【図８】本発明の第４実施形態に係る光路補正部材を示す斜視図である。
【符号の説明】
【００７９】
１０    光走査装置
１１    感光体ドラム
６１    回転多面鏡
７０    光源
７３    ＳＯＳセンサ
９０    光路補正部材
Ｌ      光ビーム
【図１】
2008112081.tif 000003
【図２】
2008112081.tif 000004
【図３】
2008112081.tif 000005
【図４】
2008112081.tif 000006
【図５】
2008112081.tif 000007
【図６】
2008112081.tif 000008
【図７】
2008112081.tif 000009
【図８】
2008112081.tif 000010